(57)【要約】【課題】従来のロール紙式トイレットペーパーでは使用する分量を巻き取る際に両手で行わなければならないが、その点において不便を感じる身体的にハンデのある人、高齢者、幼児、妊婦等身体的弱者でも容易に用を足すことができるトイレットペーパーシステムを提供する。【解決手段】トイレ用ペーパーは片手でも取りだせる四角形にカットされた１枚または複数枚１組の水溶性素材からなるトイレットペーパーティッシュとする。このカット紙型トイレットペーパーは、水溶性素材からなる個装パックに充填されている。この水溶性素材からなる個装パックは、専用のペーパーホルダーに格納し、最後の１枚のカット紙型トイレットペーパーが引出される時に一緒に引出される仕組みによりトイレットペーパーホルダーから引き出され、トイレットペーパーと一緒に水洗トイレの水に流す事ができる。【選択図】図１
2006034920.tif 000002
【特許請求の範囲】
【請求項１】
四角形に切断された水溶性素材からなるトイレットペーパーティッシュを折り畳んで重ねて組み合わせ、一組または一枚を引き取ることにより次の組または紙が引き出せるように収納したことを特徴とするカット紙型のトイレットペーパー。
【請求項２】
最後の１枚のカット紙型のトイレットペーパーを使いきった時、自動的に最後の１枚のカット紙型のトイレットペーパーに接合されたベロによって一緒にカット紙型のトイレットペーパー専用のトイレットペーパーホルダーから引き出され、カット紙型のトイレットペーパーと一緒に水洗トイレの水に流す事ができるように、折り畳んで収納されたカット紙型の水溶性素材からなるトイレットペーパーの最後の一部がトイレットペーパーを収納している水溶性の容器と結合していることを特徴とする水溶性素材からなる個装パック。
【請求項３】
折り畳んで収納されたカット紙型の水溶性素材からなるトイレットペーパーを格納する、紙製あるいはポリプロピレン製のカット紙型トイレットペーパー専用のトイレットペーパーホルダー。
【発明の詳細な説明】
【技術分野】
【０００１】  本発明は、従来のロール紙式トイレットペーパーにかわる、カット紙型トイレットペーパーに関するものである。
【背景技術】
【０００２】  一般化している従来のロール式トイレットペーパーは、トイレで用を足す際に必要不可欠なものであるが、あまりに一般化しているため、その形状やシステムについて疑問を抱くことが日常ほとんど無い。しかし、ロール式トイレットペーパーは、使用する分量を巻き取る際、両手で行わなくてはならない点において個々に不便を感じている事が意外と多い。これは、身体的ハンデのある人、高齢者、幼児、妊婦等身体的弱者にとっては負担を強いられる。
また、巻き取る際の、芯棒の回転するコトコト音、ペーパーカッターのカタカタ音は著しくデリカシーに欠ける。巻き取り式だと、必要以上に巻きとってしまい、トイレの詰まりの原因になるだけでなく、経済的にも資源的にも無駄である。
さらに、トイレットペーパーの需要はトイレ内に限らず、その他の空間で看護や幼児のしつけ用に必要であるが、現状では屋外活動の際の携帯・非常用として、ロール式トイレットペーパーのホルダー等は現状用意されていない。
【発明の開示】
【発明が解決しようとする課題】
【０００３】  そこで、本発明はこれらの不都合を解決すべく、身体的ハンデのある人、高齢者、幼児、妊婦等身体的弱者にとっても快適に使用することができるトイレットペーパーシステムを提供する事を目的とする。
【課題を解決するための手段】
【０００４】  課題を解決するために検討した結果、本発明は、ロール紙式のトイレットペーパーをカット紙型トイレットペーパーに変更し、それに伴ったパッケージング、保持器具（トイレットペーパーホルダー）を用いれば、これらの課題を解決可能である事を究明した。ロール紙式のトイレットペーパーがカット紙型のトイレットペーパーになれば、巻き取る動作が無くなり、片手で必要な分量を楽に取り出す事ができる。このカット紙型のトイレットペーパーは、個装パックにロール紙式トイレットペーパー１巻き相当のカット紙型トイレットペーパーが充填される。個装パックは水に容易に溶けて流す事が可能な水溶性素材からなるものであり、１パックを使い切った時、トイレットペーパーと一緒にトイレに流す事ができる。水溶性素材からなる個装パックは、ケースあるいはホルダーとしては素材・構造が軟弱である為、そのままでも使用することはできるが、基本的に専用ホルダーに装填して使用する。
専用ホルダーには、紙製個装パックの装填口、カット紙型トイレットペーパーの取り出し口があり、薄い箱形状になっている。箱の素材は、厚紙あるいはポリプロピレン等の薄板であり、簡単に組み立てる事ができ、そのまま携帯移動用としても使用できるが、両面テープもしくは、マグネットでトイレ等の壁面に簡単に取り付けることができる。
【発明を実施するための最良の形態】
【０００５】  本発明におけるカット紙型トイレットペーパーシステムは、カット紙型トイレットペーパー、水溶性素材からなる個装パック、専用トイレットペーパーホルダーで構成され、３者一体となって初めて発明の効果が生じる。以下、詳細に説明する。【０００６】  図１はカット紙型トイレットペーパー専用トイレットペーパーホルダーの外観図である。本体は、厚紙あるいはポリプロピレンの薄板でできており、トムソン型で打ち抜いた展開板を折り目に沿って折り曲げるだけで簡単に組み立てる事ができる。ホルダー本体１には、水溶性素材からなる個装パック４の装填口２とカット紙型トイレットペーパー５の取り出し口３が設けられており、水溶性素材からなる個装パック装填口２は開閉可能なフラップが付いている。また、ホルダー本体１の背面には両面粘着テープ６あるいはマグネット７が付着してあり、トイレ等の壁面に簡単に取り付けることができる。その他にも、簡易施工型，施工型として、壁面に取付けたブラケットに取り付けるタイプと、壁に埋め込むタイプも考えられる。【０００７】  図２は水溶性素材からなる個装パック４の外観図である。水溶性素材からなる個装パック本体４は、カット紙型トイレットペーパー５の１ユニットを包み込んでおり、ホルダー本体１に丸ごと装填して使用する。水溶性素材からなる個装パック４本体にはスリット８が設けられており、カット紙型トイレットペーパー５を１枚または１組ずつ取り出すことができる。カット紙型トイレットペーパー５を１ユニット分最後まで使い切ると、最後のカット紙型トイレットペーパー５には水溶性素材からなる個装パック４の引き出しベロ９が接合されており、最後のカット紙型トイレットペーパー５を引き出すと同時に引き出しベロ９が引き出され、水溶性素材からなる個装パック４もホルダー本体１から引き出される。空になったホルダー本体１には、新しいカット紙型トイレットペーパー５が充填された水溶性素材からなる個装パック４を補充装填する。【０００８】  図３は、カット紙型トイレットペーパー５の水溶性素材からなる個装パック４内における充填の状態である。カット紙型トイレットペーパー５は、四角形に１枚１枚カットしてあり、従来のロール紙式トイレットペーパーより腰が強く丈夫であり、容易に水に溶けて流す事ができる。また、少ない枚数で、用が足せるとともに、ペーパータオルのようにゴワゴワせずに、身体のデリケートな部分にも快適に使用できる。カット紙型トイレットペーパー５は１枚１枚折りたたんであり、折りたたまれた部分で次の紙と重なっており、次々と水溶性素材からなる個装パック４から引き出すことができる。最後の１枚は、水溶性素材からなる個装パック４の引き出しベロ９に接合されており、最後のカット紙型トイレットペーパー５を引き出すと同時に引き出しベロ９が引き出され、水溶性素材からなる個装パック４もホルダー本体１から引き出される。【０００９】  図４は、ホルダー本体１の組立前の展開図である。折り目に沿って折り、ベロを差し込んでいくと、簡単にホルダーが出来上がる。
【発明の効果】
【００１０】  本発明は、１枚１枚四角形にカットされた薄くて丈夫で水に溶けて流し易い紙質のカット紙型トイレットペーパー、使用後はカット紙型トイレットペーパーと一緒にトイレに捨てられる水溶性素材からなる個装パック、簡単に組み立てられ簡単に設置できるスリムな専用トイレットペーパーホルダーで構成され、３者一体となって初めて、発明の効果が生じ、身体的ハンデのある人、高齢者、幼児、妊婦等身体的弱者にとっても快適に使用することのできるシステムである。
【図面の簡単な説明】
【００１１】
【図１】本発明の一実施形態に係るカット紙型トイレットペーパー専用トイレットペーパーホルダーの外観図である。
【図２】本発明の一実施形態に係る水溶性素材からなる個装パックの外観図である。
【図３】本発明の一実施形態に係る水溶性素材からなる個装パックの断面図である。
【図４】本発明の一実施形態に係るホルダー本体の組立前の展開図である。
【符号の説明】
【００１２】１、ホルダー本体
２、水溶性素材からなる個装パック装填口（フラップ）
３、カット紙型トイレットペーパー取り出し口
４、水溶性素材からなる個装パック
５、カット紙型トイレットペーパー
６、両面粘着テープ
７、マグネット
８、スリット
９、引き出しベロ
【図１】
2006034920.tif 000003
【図２】
2006034920.tif 000004
【図３】
2006034920.tif 000005
【図４】
2006034920.tif 000006